【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】  管状部材で形成された流路内を流れるガス中に外部から検出光を透過させるための一対の透光窓を、前記管状部材の周壁に気密に設け、前記管状部材の内周面に嵌合し、前記透光窓と整合する位置に貫通孔が形成されたアダプタを設けた呼吸気ガスセンサにおいて、
前記アダプタの外周の前記透光窓に対向して近接する位置に、該透光窓の流路に直交する方向の幅以上の幅を有するスリットを軸方向に貫通して設けて、前記ガス流路を形成したことを特徴とする呼吸気ガスセンサ。
【請求項２】  前記アダプタは前記透光窓の軸方向の両側に分割されたことを特徴とする請求項１記載の呼吸気ガスセンサ。
【請求項３】  前記分割されたアダプタは、前記管状部材内に固定されたことを特徴とする請求項２記載の呼吸気ガスセンサ。
【請求項４】  前記分割されたアダプタは、前記管状部材内で着脱可能に連結されたことを特徴とする請求項２記載の呼吸気ガスセンサ。
【請求項５】  内部にガスの流路を設けられた管状部材を備え、その流路内を流れるガス中に外部から検出光を透過させるため前記管状部材の周壁に気密に一対の透光窓を設け、
前記管状部材は内部に、前記流路を２つに分ける仕切り部を備え、
前記仕切り部は前記透光窓の一方からの光を他方に通す貫通孔を有し、
前記仕切り部によって分けられた流路は、前記透光窓にそれぞれに沿うようにされ、前記透光窓に接する箇所では前記透光窓の流路に直交する方向の幅以上の幅を有することを特徴とする呼吸気ガスセンサ。
【請求項６】  前記透光窓の内面に防曇膜を設けたことを特徴とする請求項１乃至請求項５のいずれか１つに記載の呼吸気ガスセンサ。
【手続補正２】
【補正対象書類名】明細書
【補正対象項目名】０００８
【補正方法】変更
【補正の内容】
【０００８】
【課題を解決するための手段】
上記目的を達成するために、請求項１に記載の本発明は、管状部材で形成された流路内を流れるガス中に外部から検出光を透過させるための一対の透光窓を、前記管状部材の周壁に気密に設け、前記管状部材の内周面に嵌合し、前記透光窓と整合する位置に貫通孔が形成されたアダプタを設けた呼吸気ガスセンサにおいて、前記アダプタの外周の前記透光窓に対向して近接する位置に、該透光窓の流路に直交する方向の幅以上の幅を有するスリットを軸方向に貫通して設けて、前記ガス流路を形成したことを特徴とする。
【手続補正３】
【補正対象書類名】明細書
【補正対象項目名】０００９
【補正方法】変更
【補正の内容】
【０００９】
請求項２に記載の呼吸気ガスセンサは、前記アダプタが前記透光窓の軸方向の両側に分割されたことを特徴とする。
【手続補正４】
【補正対象書類名】明細書
【補正対象項目名】００１０
【補正方法】変更
【補正の内容】
【００１０】
請求項３に記載の呼吸気ガスセンサは、前記分割されたアダプタが、前記管状部材内に固定されたことを特徴とする。
【手続補正５】
【補正対象書類名】明細書
【補正対象項目名】００１１
【補正方法】変更
【補正の内容】
【００１１】
請求項４に記載の呼吸気ガスセンサは、前記分割されたアダプタが、前記管状部材内で着脱可能に連結されたことを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
請求項５に記載の呼吸気ガスセンサは、内部にガスの流路を設けられた管状部材を備え、その流路内を流れるガス中に外部から検出光を透過させるため前記管状部材の周壁に気密に一対の光透窓を設け、前記管状部材は内部に、前記流路を２つに分ける仕切り部を備え、前記仕切り部は前記透光窓の一方からの光を他方に通す貫通孔を有し、前記仕切り部によって分けられた流路は、前記透光窓にそれぞれに沿うようにされ、前記透光窓に接する箇所では前記透光窓の流路に直交する方向の幅以上の幅を有することを特徴とする。
【手続補正８】
【補正対象書類名】明細書
【補正対象項目名】００１４
【補正方法】変更
【補正の内容】
【００１４】
請求項６に記載の呼吸気ガスセンサは、請求項１乃至請求項５のいずれか１つにおけるセンサの前記透光窓の内面に防曇膜を設けたことを特徴とする。
【手続補正９】
【補正対象書類名】明細書
【補正対象項目名】００１５
【補正方法】変更
【補正の内容】
【００１５】
請求項１に記載の本発明によると、アダプタの外周の透光窓に対向して近接する位置に、透光窓の流路に直交する方向の幅以上の幅を有するスリットを軸方向に貫通して設けてガス流路を形成したので、赤外線光源部から発し透光窓を通過する検出光全体がガス流路を通過する呼吸ガスを照射することができ、ガス濃度を効率よく高精度で計測することができる。また透光窓に近接してガス流路が形成されているので、透光窓内面に水滴が溜ることはない。
【手続補正１０】
【補正対象書類名】明細書
【補正対象項目名】００１６
【補正方法】変更
【補正の内容】
【００１６】
請求項２乃至４に記載の本発明によると、アダプタが分割されているので成形が容易となる。この場合、分割されたアダプタを管状部材内で固定しても着脱可能に連結してもよいが、着脱可能とすることにより使用後アダプタを管状部材から取り出し、洗浄滅菌して再利用することができる。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
請求項５に記載の本発明によると、請求項１の発明の作用と同様の作用を得られる。
【手続補正１３】
【補正対象書類名】明細書
【補正対象項目名】００１９
【補正方法】変更
【補正の内容】
【００１９】
請求項６に記載の本発明によると、透光窓の内面に防曇膜を設けたので、ガス流路内を通過する呼吸ガスの湿気により透光窓の内面が曇ることを防止できる。
【手続補正１４】
【補正対象書類名】明細書
【補正対象項目名】００２３
【補正方法】変更
【補正の内容】
【００２３】
図中右側のアダプタ１８はほぼ円柱状に形成されており、外周はフロースルーセル１１の平行面１１ａの右側内周面に当接している。またアダプタ１８の左側端面は平行面１１ａの軸方向内面の右側に当接している。アダプタ１８の外周には軸方向に平行に一対のスリット１８ａが貫通して形成されている。スリット１８ａはアダプタ１７の板状部１７ｂとフロースルーセル１１の平行面１１ａとの間に形成された間隙（スリット１７ｆ）と連通し、透光窓１２、１３の流路に直交する方向の幅以上の幅を有するスリットからなるガス流路となっている。
【手続補正１５】
【補正対象書類名】明細書
【補正対象項目名】００２５
【補正方法】変更
【補正の内容】
【００２５】
本実施の形態によれば、透光窓１１ａ全面とアダプタ１７の板状部１７ｂとの間に形成されたスリット状のガス流路を呼吸気ガスが流れるため、センサの内容積を小さくし死腔量を減らすことができる。この結果、小児などの換気量の少ない呼吸気ガス濃度を簡単な構造で効率よく高精度で計測することができる。またガス流路が透光窓１１ａとアダプタ１７の板状部１７ｂとの間でスリット状に形成されるので、呼吸気ガス中の水分が水滴となって透光窓１１ａの内面に溜ることがなく、ガス濃度計測の精度を向上させることができる。
【手続補正１６】
【補正対象書類名】明細書
【補正対象項目名】００２９
【補正方法】変更
【補正の内容】
【００２９】
図１１乃至図１３に示すように、フロースルーセル２１の内部は板状の仕切り部２７によって流路が２つに分けられている。仕切り部２７には透光窓２３と同じ光軸上に貫通孔２９が形成されている。透光窓２３と仕切り部２７との間にはスリット状の流路３１、３２が形成されている。ここで、流路３１、３２の幅は、透光窓２３の流路に直交する方向の幅以上の幅となっている。
【手続補正１７】
【補正対象書類名】明細書
【補正対象項目名】００３０
【補正方法】変更
【補正の内容】
【００３０】
本実施の形態によれば、透光窓２３の全面と仕切り部２７との間に形成されたスリット状の流路３１、３２を呼吸気ガスが流れるため、第１の実施の形態と同様、センサの内容積を小さくし死腔量を減らすことができ、ガス中の水分が水滴となって透光窓２３の内面に溜ることがなくなる。さらに本実施の形態によれば、アダプタが不要であるので、製造が容易であるとともに使用の際の作業が簡単である。また、安価に製造できるので、使い捨てとすることもできる。
【手続補正１８】
【補正対象書類名】明細書
【補正対象項目名】００３１
【補正方法】変更
【補正の内容】
【００３１】
【発明の効果】
以上説明したように、本発明の呼吸気ガスセンサによれば、透光窓に近接して対向する位置に透光窓の流路に直交する方向の幅以上の幅を有するスリット状のガス流路を形成したので、計測センサの内容積を小さくして死腔量を減らすことができる。この結果、小児などの換気量の少ない呼吸気ガス濃度を簡単な構造で効率よく高精度で計測することができる。また透光窓全体の表面に沿って呼吸気ガスが通過するので、呼吸気ガス中の水分が水滴となって透光窓内に溜ることがなく、ガス濃度計測の精度を向上させることができる。
【手続補正１９】
【補正対象書類名】図面
【補正対象項目名】図１
【補正方法】変更
【補正の内容】
【図１】
2001066243.tif 000001